(57)【要約】【課題】既設のドアに既設の錠前機構を残したまま容易に取付けることができる指紋照合施解錠装置を提供する。【解決手段】屋内から扉２３を施錠する場合は制御ユニット１０の施錠ボタン１４を押す、解錠するときは解錠ボタン１５を押す。内蔵電池の電源が自動的に入り制御ユニット１０が本締めユニット１６の駆動部を順又は逆方向に作動させ本締錠１９をストライク４５に進入又は退去させて扉２３を施錠又は解錠する。外から扉２３を施錠するときは指紋照合ユニット１の蓋３を開き本体前面の電源スイッチ８を押して制御ユニット１０の電源を入れ所定の押しスイッチ７を操作すると制御ユニット１０が本締めユニット１６の本締錠１９を作動させて施錠する。解錠するときは電源スイッチ８を押して電源を入れ指紋照合器５に指紋を読み取らせる。制御ユニット１０のが登録指紋と照合し一致していれば開錠する。【選択図】　図６
2004108022.tif 000002
【特許請求の範囲】
【請求項１】
扉または壁の表面に配設された指紋照合ユニットと、
該指紋照合ユニットと配線により電気的に接続され、前記扉または壁の裏面に配設された制御ユニットと、
該制御ユニットに配線により電気的に接続され前記扉の内部に埋設され又は前記扉の屋内面に配設された本締めユニットと、
を有することを特徴とする指紋照合施解錠装置。
【請求項２】
前記本締めユニットは、前記扉の既設の錠前機構とは異なる箇所に配設されることを特徴とする請求項１記載の指紋照合施解錠装置。
【請求項３】
前記指紋照合ユニットは、少なくとも指紋を読み取る指紋読取装置と所望のＩＤコードを入力できる入力装置を備えていることを特徴とする請求項１又は２記載の指紋照合施解錠装置。
【請求項４】
前記指紋照合ユニットは、ユニット底面の前記扉または壁への取り付け面に近接した位置に配置されたユニット本体の内部を開放するためのシリンダ錠と、内部が開放されたとき操作可能な位置に配置され強制解錠を指示する操作部と、を更に備えてたことを特徴とする請求項１、２又は３記載の指紋照合施解錠装置。
【請求項５】
前記制御ユニットは、少なくとも施錠操作部と、解錠操作部と、装置全体の動作部を動作させる電源としての電池と、ＩＤコードを登録又は変更するための操作部と、を備えていることを特徴とする請求項１、２，３又は４記載の指紋照合施解錠装置。
【発明の詳細な説明】
【０００１】
【発明の属する技術分野】
本発明は、指紋照合により錠前の施解錠を行う指紋照合施解錠装置に関わり、更に詳しくは既設のドアに既設の錠前機構を残したまま容易に取付けることができる指紋照合施解錠装置に関する。
【０００２】
【従来の技術】
従来より、回動式に開閉する出入り口の扉などの開き口を仮固定したり強制固定する錠前がある。仮固定は、閉じた扉が震動や風圧などで自動的に開いてしまわないようにする機構であり、これには通常ラッチボルトが使用される。ラッチボルトは扉を閉めるだけで壁（又は柱）側のラッチ穴に係合して扉を仮固定する。ラッチボルトの仮固定を解除するには、扉の取っ手がノブ式であればノブを回す、取っ手がハンドル式であればハンドルを捻る、取っ手が固定ハンドル式であればその近傍に併設されている弁を押え込む、などで、これらの動作に連動するラッチボルトを壁のラッチ穴から引き込ませて仮固定を解除し扉を開くことができる。中には、例えば洋ダンスの扉に見られるような、少し力を込めて扉を引くだけで仮固定が解除されるようなラッチもある。
【０００３】
他方、強制固定は、特定の者だけが扉を開閉できるようにする機構であり、これには通常デッドボルトが使用される。デッドボルトは特定の錠前の内部機構に連動しており、その特定の錠前に専用の鍵を錠前の鍵穴に差し込んで内部機構を強制的に動作させることにより、デッドボルトを壁側のボルト穴に進退させ、錠前の施解錠を行うものが一般的である。
【０００４】
このデッドボルトの施解錠を行う鍵と錠前は、当初は簡単な構成のものでも扉を強制固定する機能を支障なく果たしていたが、余りに簡単な構成のものではプロの空き巣狙いなどによって簡単に解錠されてしまうため、従来からホテルや公共の施設などで用いられていた安全性の高い高級な錠前のシリンダー錠が一般家庭でも玄関口の扉などに用いられるようになってきた。
【０００５】
ところが、このシリンダー錠も、現今では、プロの空き巣狙いにとっては、ピッキングを呼ばれる手法によって比較的容易に解錠が可能であることが判明して問題となっている。
このような従来錠の低い安全性に対処すべく開発された錠前として、指紋認証による電気錠（指紋照合錠）が知られている。このような指紋照合錠は、指紋を予め登録してある者であれば、その指紋を指紋照合器によって照合し、認証によって指紋照合錠の本締錠（デッドボルト）を電気的に作動させて施解錠することができるようになっている。電気的に動作する錠前機構は、ドアノブと一体となった錠箱（錠前ケース）に組み込まれており、既存の錠前ケースを取り外し、これと交換に取り付けられる。
【０００６】
また、アルファ社の指紋照合錠は、既設のサムターン（錠前の家屋内側にあって指先で摘んで捻って施解錠できる摘み装置）をモーター駆動のサムターンに取り替えて、本締錠（デッドボルト）を作動させ施解錠するようにしている。
【０００７】
【発明が解決しようとする課題】
ところが、上記のような従来の指紋照合錠は、既存の錠前ケースやサムターンを取り替えて設置する構造になっているため、錠前ケースの寸法が大きく異なっている場合や、サムターンとは異なる施解錠方式の錠前には適用できないという問題を有している。
【０００８】
本発明の課題は、上記従来の実情に鑑み、既設の錠前機構をそのまま残し、後付けによって容易に取り付けることができる指紋照合施解錠装置を提供することである。
【０００９】
【課題を解決するための手段】
以下に、本発明に係わる指紋照合施解錠装置の構成を述べる。
本発明の指紋照合施解錠装置は、扉または壁の表面に配設された指紋照合ユニットと、該指紋照合ユニットと配線により電気的に接続され、上記扉または壁の裏面に配設された制御ユニットと、該制御ユニットに配線により電気的に接続され上記扉の内部に埋設され又は上記扉の屋内面に配設された本締めユニットと、を有して構成される。
【００１０】
上記本締めユニットは、例えば請求項２記載のように、上記扉の既設の錠前機構とは異なる箇所に配設される。また、上記指紋照合ユニットは、例えば請求項３記載のように、少なくとも指紋を読み取る指紋読取装置と所望のＩＤコードを入力できる入力装置を備え、また、例えば請求項４記載のように、ユニット底面の上記扉または壁への取り付け面に近接した位置に配置されたユニット本体の内部を開放するためのシリンダ錠と、内部が開放されたとき操作可能な位置に配置され強制解錠を指示する操作部と、を更に備えて構成される。
【００１１】
上記制御ユニットは、例えば請求項５記載のように、少なくとも施錠操作部と、解錠操作部と、装置全体の動作部を動作させる電源としての電池と、ＩＤコードを登録又は変更するための操作部と、を備えて構成される。
【００１２】
【発明の実施の形態】
以下、本発明の実施の形態を図面を参照しながら説明する。
図１（ａ），（ｂ），（ｃ）　は、一実施の形態における指紋照合施解錠装置を構成する各ユニットを示す図である。図１（ａ）　は指紋照合ユニットを示し、図１（ｂ）　は制御ユニットを示し、図１（ｃ）　は本締めユニットを示している。
【００１３】
図１（ａ）　に示す指紋照合ユニット１は、後述するように扉の外部に取り付けられるユニットであり、本体部箱体２と、この本体部箱体２の前面を覆う前部保護蓋３を備えている。前部保護蓋３は本体部箱体２の両側面上部に設けられた支持部４（図の左側側面は陰になって見えない）に支持されて回動自在であり、図１（ａ）　は前部保護蓋３を上方に回動させて開いた状態を示している。
【００１４】
前部保護蓋３を開いた本体部箱体２の前面には、下方中央に指紋照合器５が配設され、上方中央部には二段に分かれて４個のＬＥＤ６と、３個の押しスイッチ７がそれぞれ横一列に並んで配設されている。それらの右方に電源スイッチ８が配設されている。
【００１５】
本体部箱体２の内部には、特には図示しないが、指紋照合器５の本体、その指紋検出信号の送信回路、ＬＥＤ６の点灯駆動回路、押しスイッチ７のイベント検出回路、電源入力・遮断回路等が格納されている。また、図では陰になって見えないが、下面には、後述する電池接続端子と、ピッキングに対して極めて安全性の高いシリンダ錠とが配設されている。
【００１６】
図１（ｂ）　に示す制御ユニット１０は、後述するように扉の内側に取り付けれらるユニットであり、本体部を構成する本体部箱体１１と、その本体部箱体１１の前面を覆う蓋部１２を備えている。蓋部１２は、陰になって見えないが、図の左側に設けられているヒンジを介して本体部箱体１１に支持されて図の手前方向に回動自在であり、常には不図示のロック機構によって閉じた状態が維持される。蓋部１２の上部中央には、上記のロック機構を施解錠する錠前１３が配設されている。この錠前の左方に、屋内で操作するための施錠ボタン１４と、解錠ボタン１５が設けられている。
【００１７】
本体部箱体１１の内部には、特には図示しないが、錠前１３に連動するロック機構の施解錠機構、施錠ボタン１４及び解錠ボタン１５のイベント検出回路、指紋照合器５からの指紋検出信号を受信する受信回路、本締めユニット１６の電動部を駆動する駆動回路、これらの動作を制御する制御装置、及びこれらの各部に電力を供給するための電源として電池が収容されている。
【００１８】
図１（ｃ）　に示す本締めユニット１６は、基本的には後述するように扉の中に埋め込まれるユニットであり、本体部箱体１７と前部押さえ板１８を備えている。本体部箱体１７は、進退自在な本締錠（デッドボルト）１９を備えている。
本体部箱体１７の内部には、特には図示しないが、本締錠１９を施解錠するための本締錠１９に連結固定されたラックや、このラックを水平方向に進退駆動する減速ギア列や、この減速ギア列を順逆両方向に回転駆動するウォームギア付きモータ等の駆動系が収容されている。また、異常時には、上記の駆動系を介さずに、施錠状態の本締錠１９を強制的に解錠するソレノイドも配設されている。
【００１９】
本締めユニット１６の前部押さえ板１８には、扉に埋め込んだ本体部箱体１７を扉内に固定するためのものであり、上下にそれぞれ２個のビス孔２１が設けられ、中央よりやや下寄りに、本締錠１９の出入り孔２２が形成されている。
図２（ａ）　は上記の指紋照合ユニット１と制御ユニット１０を扉に取り付ける手順を示す斜視図であり、図２（ｂ）　はその取り付けが完了した状態を示す側面図である。尚、図２（ａ），（ｂ）　には、図１（ａ），（ｂ）　に示した構成部分と同一の構成部分には図１（ａ），（ｂ）　と同一の番号を付与して示している。
【００２０】
図２（ａ）　に示すように、指紋照合ユニット１と制御ユニット１０を扉２３に取り付けるには、先ず、扉２３の適宜の位置に貫通孔２４を穿設する。指紋照合ユニット１の本体部箱体２の背面は、本体部箱体２に対し着脱可能な取り付け板２５になっており、この取り付け板２５には外側に向けて筒状のボルト２６が突設されている。このボルト２６は、パイプの周表面にねじを切って構成されている。パイプ内には、指紋照合ユニット１と制御ユニット１０を電気的に接続するための不図示の配線が挿通されている。このボルト２６を貫通孔２４に挿通し、その先端を、扉２３の裏面（屋内側の面）に突出させる。
【００２１】
他方の制御ユニット１０の本体部箱体１１の扉２３に接する背面部には、図では陰になって見えないが、ボルト２６の先端に外嵌する孔が設けられており、この孔に挿通されたボルト２６の先端をナット２７によって締め付けて、取り付け板２５と制御ユニット１０の本体部箱体１１とで扉２３を挟みつけるようにして相互に固定する。
【００２２】
その後、取り付け板２５の上部に形成されている係合爪２７に指紋照合ユニット１の本体部箱体２の上端を外側から引っ掛けるようにして係合させ、下部を取り付け板２５に押し付けて、不図示のロック機構に係合させる。本体部箱体２の下面には、電池接続端子２８と、シリンダ錠２９が配設されており、このシリンダ錠に不図示の鍵を差し込んで操作して上記のロック機構を施錠する。
【００２３】
これにより、指紋照合ユニット１の扉２３への取り付けが完了する。同図に示すように、指紋照合ユニット１の厚さは、およそ４０ｍｍであり、そのうちの中央より扉２３側に寄せた所に上記のシリンダ錠２９が配置されている。
このシリンダ錠２９としては、元来ピッキングに対して極めて安全性の高いシリンダ錠が用いられるが、更に、図２（ｂ）　に示すように、シリンダ錠２９の配設場所が、扉２３の面に近接して且つ下向きに配置されれいることから、ピッキングの名手といえども、よほど不自然な体勢で事を進めない限り、このシリンダ錠２９のピッキング解錠は殆ど不可能である。
【００２４】
この、指紋照合ユニット１の扉２３への取り付けが完了後は、筒状のボルト２６を介して制御ユニット１０内に引き出されている指紋照合ユニット１側からの配線を制御装置３１の不図示の所定の端子に接続すると共に、後述するように扉２３に取り付け完了後の本締めユニット１６を、電源ケーブルで接続した後、蓋部１２を本体部箱体１１に取り付けて、錠前１３で施錠する。制御ユニット１０は扉２３の屋内側に取り付けられるユニットであるから高度の安全性を考慮する必要は無く、錠前１３は簡単な構造のもので良い。
【００２５】
図３は、上記の図２（ａ）　に示す指紋照合ユニット１の取り付け板２５で固定される前の本体部箱体２の裏側から内部を見た図である。図３に示すように、指紋照合ユニット１の内部には、上方の電源スイッチ８の横に、ＬＥＤ６の点滅制御と押しスイッチ７の操作情報検出を行うための操作ユニット基板３２が配設されている。
【００２６】
この操作ユニット基板３２の裏面（図の奥行き方向手前側の面）には、強制解錠スイッチ３３が配設されている。この強制解錠スイッチ３３は、指紋照合器５が故障したり破壊されたとき、あるいは、押しスイッチ７の操作が不能になったときなどに、シリンダ錠２９によってロック機構３４を解錠して、指紋照合ユニット１の内部を取り付け板２５から開放し、手作業によって強制解錠スイッチ３３を押して、本締めユニット１６の本締錠１９を強制的に解錠するためのものである。
【００２７】
この操作ユニット基板３２の下方には指紋照合器５の本体モジュールとその指紋照合モジュール基板３５が配設されている。この指紋照合モジュール基板３５と上記の操作ユニット基板３２はそれぞれ配線によって、図２（ａ）　に示した筒状のボルト２６を介して、制御ユニット１０の制御装置３１に接続されている。
【００２８】
図４（ａ），（ｂ），（ｃ）　は、それぞれ本締めユニット１６の扉２３への取り付け方法を示す図である。いずれの場合も、本締めユニット１６は既設の錠前機構が在る部分とは異なる箇所に取り付けられる。
先ず、図４（ａ）　に示す取り付け方法は、扉２３が３３〜５０ｍｍ程度の厚さを有する場合に可能な取り付け方法である。図４（ａ）　に示すように、既設の錠前機構が在る部分とは異なる適宜の箇所に掘り込み３６を穿設し、この掘り込み３６に図の矢印ａで示すように本締めユニット１６の本体部箱体１７を嵌入させ、前部押さえ板１８を扉２３にビス止めして固定する。
【００２９】
次に、図４（ｂ）　に示す取り付け方法は、扉２３の厚さが３３ｍｍ未満の場合の取り付け方法である。図４（ｂ）　に示すように、扉２３の裏側（屋内側）の既設の錠前機構と競合しない適宜の箇所に、面付けで取り付ける。本体部箱体１７は、取り付け面の反対側（図の奥行き方向手前側）の面が閉じ蓋３７になっており、この閉じ蓋３７は四隅にあるビス３８で本体部箱体１７に対し着脱できるようになっている。
【００３０】
図のように本体部箱体１７を扉２３に面取り付けするときは、四隅のビス３８を外して閉じ蓋３７を取り除き、対向面（取り付け面）に予め設けてある面取り付け用ビス孔によって他のビスを用いて取り付け面を扉面に締め付けて本体部箱体１７を扉２３に固定する。この後、閉じ蓋３７の四隅をビス３８で本体部箱体１７に固定する。
【００３１】
また、図４（ｃ）　に示す取り付け方法は、扉２３の厚さが本締めユニット１６の本体部箱体１７の厚さと同じである場合の取り付け方法である。この場合は、図４（ｃ）　に示すように、扉２３の既設の錠前機構と競合しない適宜の箇所に、本体部箱体１７が丁度嵌まり込む大きさの切り欠き部３９を穿設する。この切り欠き部３９に本締めユニット１６の本体部箱体１７を嵌め込み、前部押さえ板１８を扉２３にビス止めする。これにより本締錠１９の移動方向への本締めユニット１６の位置が固定される。
【００３２】
この扉２３には、切り欠き部３９の上下にそれぞれ貫通孔４１が穿設される。これらの貫通孔４１には、扉２３の表側から、一方のユニットカバー４２ａの上下２本のボルト４３が挿通され、ボルト４３の先端は扉２３の裏側に突出する。この突出したボルト４３の先端は、他方のユニットカバー４２ｂの上下２個のボルト受け孔４４に挿通され、不図示のナットで締め付けられて固定される。これにより、本締めユニット１６がユニットカバー４２ａ及び４２ｂによって外部から覆い隠されると共に、本締錠１９の移動方向の直角方向（扉２３の表裏方向）への本締めユニット１６の位置が固定される。
【００３３】
図５（ａ），（ｂ），（ｃ）　は、それぞれ上記の本締錠１９によって施錠されるストライク部（本締錠１９に対応する壁又は柱側の受け部）の構成を示す図である。
図５（ａ）　は最も一般的なストライク４５の形状とその取り付け方法を示している。このストライク４５は、縦長の平板状に形成され、中央に本締錠受け孔４６が形成され、上下にビス孔４７が設けられている。
【００３４】
先ず、ストライク４５の本締錠受け孔４６に対応する壁又は柱４８の位置に、本締錠進入穴を穿設した後、その上にストライク４５をあてがい、ビス孔４７を不図示のビスで壁又は柱４８に締め付けてストライク４５を壁又は柱４８に固定する。施錠の際は、図４（ａ）　又は図４（ｃ）　に示した取り付け方法で扉２３に取り付けられたいずれかの本締めユニット１６の本締錠１９が、このストライク４５の本締錠受け孔４６に係止する。
【００３５】
図５（ｂ），（ｃ）　は、壁又は柱がアルミサッシで構成されている場合のストライク部の構成を示す図であり、同図（ｂ）　に示すストライク４９は、壁又は柱４８′の取り付け部が横に広い場合である。このストライク４９は、横方向に長い鋼板部材で構成され、壁又は柱４８′の補強部５１の形状に合わせて折れ曲がりを形成しており、後端部の２個のビス孔５２を不図示のビスで壁又は柱４８′締め付けられて固定される。先端部は本締錠受け部５３は孔ではなく面を形成している。
【００３６】
この本締錠受け部５３は、対応する本締めユニット１６の本締錠１９の位置に合わせて、壁又は柱４８′の裏面（屋内の面）５４からやや離れて配置される場合が多い。ストライク４９を形成している鋼板部材の厚さは、およそ２ｍｍ程度であり、この厚さで５０ｋの圧力を受けても変形しない強度を持っている。したがって、ストライクとして十分に機能する。
【００３７】
同図（ｃ）　に示すストライク５５は、壁又は柱４８″の取り付け部が横に狭い場合である。このストライク５５も横方向に長い鋼板部材で構成され、壁又は柱４８″の補強部５６の形状に合わせて折れ曲がりを形成しており、後端部の３個のビス孔５７を不図示のビスで壁又は柱４８″締め付けられて固定される。この場合も先端部は本締錠受け部５８は孔ではなく面を形成している。また、この場合も、本締錠受け部５８は、対応する本締めユニット１６の本締錠１９の位置に合わせて、壁又は柱４８″の裏面（屋内の面）５９からやや離れて配置される場合が多い。
【００３８】
図６は、上記のようにして構成される指紋照合施解錠装置の動作を説明するための図であり、分かり易いように、指紋照合ユニット１と制御ユニット１０を、扉２３に対して、図２（ｂ）　の状態から左右（扉２３の表裏方向）に展開して示している。また、各部の構成部分には、これまで使用した同一の番号を付与して示している。また、本締めユニット１６の扉２３への取り付け方法では、例として、図４（ａ）　の場合を取り上げて示している。勿論、図４（ｂ），（ｃ）　の場合も動作は同一である。
【００３９】
先ず、家人が屋内に居て、扉２３を施錠する場合は、制御ユニット１０の
施錠ボタン１４を押すと、自動的に内蔵電池の電源が入り、制御装置３１の施錠回路が働いて、本締めユニット１６のウォームギア付きモータを順方向に回転させ、減速ギア列を介して、ラックを施錠方向に移動させ、本締錠１９の先端をストライク４５（又は４９又は５５、以下同様）に係合させる。これにより、扉２３が内側から施錠される。
【００４０】
同様に家人が屋内に居て、施錠してある扉２３を解錠するときは、制御ユニット１０の解錠ボタン１５を押すと、この場合も自動的に内蔵電池の電源が入り、制御装置３１の解錠回路が働いて、本締めユニット１６のウォームギア付きモータを逆方向に回転させ、減速ギア列を介して、ラックを解錠方向に移動させ、本締錠１９の先端をストライク４５との係合部から退去させる。これにより、扉２３が内側から解錠される。
【００４１】
次に、家人が外出して屋内を留守にするときのように外から扉２３を施錠するときは、指紋照合ユニット１の前部保護蓋３を手前上方に持ち上げて開き、本体部箱体２の前面の上方にある電源スイッチ８を押して電源を入れ、次に３個の押しスイッチ７のうち、所定の押しスイッチ７を所定の手順で押すことにより、そのイベント情報が、貫通孔２４を貫通する筒状のボルト２６内の（図２（ａ）　参照）配線を介して制御ユニット１０の制御装置３１に送信され、上記の場合と同様にして施錠が行われる。
【００４２】
また、家人が外出から戻って外から扉２３の施錠を解錠するときは、先ず、上記同様に、指紋照合ユニット１の前部保護蓋３を手前上方に持ち上げて開いた後、電源スイッチ８を押して電源を入れ、本体部箱体２の前面下方にある指紋照合器５に所定の指先を押し当てて指紋を読み取らせる。この指紋読取情報は上記同様に配線を介して制御ユニット１０の制御装置３１に送信され、制御装置３１に内蔵の記憶装置に記憶されて予め登録されている指紋データと照合され、いずれかの登録指紋データと一致していれば、解錠回路が働いて上述したと同様に解錠が行われる。
【００４３】
尚、何らかの理由で指紋照合器５が機能しないときに備えて、各家人それぞれに又は共通に、ＩＤコードを登録するようにしておくことが好ましい。このＩＤコードの登録は、３個の押しスイッチ７を用いて、所定の操作手順で予め登録することができ、また、変更も可能である。また、屋内から制御ユニット１０の蓋部１２を開いて、図２（ａ）　では特には図示しなかった操作ボタンを操作して、上記同様にＩＤコードの登録や変更を行うことができる。
【００４４】
指紋照合器５に指紋を読み取らせる代わりに、上記の登録したＩＤコードを３個の押しスイッチ７を用いて入力すると、制御ユニット１０の制御装置３１が登録されているＩＤコードであることを確認した後、解錠回路が働いて上述したと同様に解錠が行われる。
【００４５】
このように、取り付けが簡単で、小型で安価な構成でありながら、指紋照合又はＩＤ入力で解錠を行うので、安全性が極めて高くて便利な指紋照合施解錠装置を提供することが出来るようになる。
ところで、制御ユニット１０に内蔵してある電池が消耗して、全体の装置が動作しなくなる場合が考えられる、このときは、コンビニエンスストア等で電池を購入し、この電池を図２（ａ），（ｂ）　に示した電池接続端子２８に差し込んで代替電源として電力を供給する。これにより、上記同様に不都合なく解錠ができる。
【００４６】
また、指紋照合ユニット１が何らかの理由によって障害を受け、指紋照合器５も、押しスイッチ７も機能しなくなったときは、図２（ａ），（ｂ）　に示したシリンダ錠２９に鍵を差し込んで、ロック機構３４のロックを解除し、指紋照合ユニット１の本体部箱体２を、図２（ａ）　に示した取り付け板２５から左右いずれかに開いて、図３に示したように内部を開放し、強制解錠スイッチ３３を押すことによって、この場合も制御ユニット１０の制御装置３１により解錠が行われる。
【００４７】
尚、この場合、シリンダ錠２９の鍵は、例えば適宜の保安請負会社に委託して上記のように異常事態になったときのみ係員を電話等で呼び寄せて、鍵を受け取って、その鍵を用いるようにすることが安全上で好ましいといえる。
また、指紋照合ユニット１に支障が起きたのではなく、本締めユニット１６の本締錠駆動系に異常が発生した場合等には、本締錠１９を強制的に解錠するソレノイドを作動させるように制御装置３１の制御方法を予め設定しておくと、如何なる異常時にも対処することができる指紋照合施解錠装置が実現する。
【００４８】
尚、上記の例では、指紋照合ユニット１と制御ユニット１０を扉２３の表裏に配設するようにしているが、これに限ることなく、扉近傍の壁の表裏に配設するようにしても良い。
また、指紋照合ユニット１と制御ユニット１０を扉又は壁の取り付け位置が表裏対応する面に取り付けるのではなく、異なる位置に取り付けるようにしても良い。この場合は、指紋照合ユニット１を取り付ける筒状のボルト内から引き出した配線を制御ユニット１０まで延長するようにすればよい。また、制御ユニット１０から本締めユニット１６までの配線も延長させれば良い。
【００４９】
【発明の効果】
以上説明したように、本発明によれば、既設のドアに既設の錠前機構を残したまま取り付けることができ、指紋照合又はＩＤ入力で解錠する極めて高い安全性を備え、且つ如何なる異常時にも対処して強制解錠することができる、取り付けに面倒が無く便利で経済的な指紋照合施解錠装置を提供することが可能となる。
【図面の簡単な説明】
【図１】一実施の形態における指紋照合施解錠装置を構成する各ユニットを示す図であり、（ａ）　は指紋照合ユニット、（ｂ）　は制御ユニット、（ｃ）　は本締めユニットをそれぞれ示している。
【図２】（ａ）　は指紋照合ユニットと制御ユニットを扉に取り付ける手順を示す斜視図、（ｂ）　はその取り付けが完了した状態を示す側面図である。
【図３】指紋照合ユニットの取り付け板を外して本体部箱体の裏側から内部を見た図である。
【図４】（ａ），（ｂ），（ｃ）　はそれぞれ本締めユニットの扉への取り付け方法を示す図である。
【図５】（ａ），（ｂ），（ｃ）　は本締錠によって施錠されるストライク部の構成を示す図である。
【図６】指紋照合施解錠装置の動作を説明するために分かり易いように指紋照合ユニットと制御ユニットを扉に対してその表裏方向に展開して示す図である。
【符号の説明】
１　　指紋照合ユニット
２　　本体部箱体
３　　前部保護蓋
４　　支持部
５　　指紋照合器
６　　ＬＥＤ
７　　押しスイッチ
８　　電源スイッチ
１０　制御ユニット
１１　本体部箱体
１２　蓋部
１３　錠前
１４　施錠ボタン
１５　解錠ボタン
１６　本締めユニット
１７　本体部箱体
１８　前部押さえ板
１９　本締錠（デッドボルト）
２１　ビス孔
２２　出入り孔
２３　扉
２４　貫通孔
２５　取り付け板
２６　ボルト
２７　ナット
２８　電池接続端子
２９　シリンダ錠
３１　制御装置
３２　操作ユニット基板
３３　強制解錠スイッチ
３４　ロック機構
３５　指紋照合モジュール基板
３６　掘り込み
３７　閉じ蓋
３８　ビス
３９　切り欠き部
４１　貫通孔
４２ａ、４２ｂ　ユニットカバー
４３　ボルト
４４　ボルト受け孔
４５　ストライク
４６　本締錠受け孔
４７　ビス孔
４８、４８′、４８″　壁又は柱
４９、５５　ストライク
５１、５６　補強部
５２、５７　ビス孔
５３、５８　本締錠受け部
５４、５９　壁又は柱の裏面（屋内の面）
【図１】
2004108022.tif 000003
【図２】
2004108022.tif 000004
【図３】
2004108022.tif 000005
【図４】
2004108022.tif 000006
【図５】
2004108022.tif 000007
【図６】
2004108022.tif 000008